【手続補正書】
【提出日】平成17年5月31日(2005.5.31)
【手続補正１】
【補正対象書類名】明細書
【補正対象項目名】発明の名称
【補正方法】変更
【補正の内容】
【発明の名称】電子辞書受注サーバおよび電子辞書受注処理プログラム
【手続補正２】
【補正対象書類名】明細書
【補正対象項目名】特許請求の範囲
【補正方法】変更
【補正の内容】
【特許請求の範囲】
【請求項１】
複数種類の各辞書毎に複数の見出し語のそれぞれに対応付けて内容を記憶する辞書内容記憶手段と、
外部の端末から検索対象の見出し語を受信する見出し語受信手段と、
この見出し語受信手段により受信された見出し語に対応して前記辞書内容記憶手段により記憶された複数の辞書それぞれの内容の検索結果を前記端末へ送信する内容検索送信手段と、
この内容検索送信手段により検索対象の見出し語に対応する複数の辞書それぞれの内容の検索結果を前記端末へ送信した後に、当該複数の辞書のうちから購入対象に選択された辞書を含む購入辞書情報を前記端末から受信する購入辞書情報受信手段と、
を備えたことを特徴とする電子辞書受注サーバ。
【請求項２】
さらに、
前記辞書内容記憶手段により記憶された複数種類の辞書のうちの複数の辞書に対する指定情報を外部の端末から受信する指定辞書受信手段を備え、
前記内容検索送信手段は、前記見出し語受信手段により受信された見出し語に対応して前記指定辞書受信手段により受信された指定情報の複数の辞書それぞれの内容の検索結果を前記端末へ送信する指定辞書内容検索送信手段を有する、
ことを特徴とする請求項１に記載の電子辞書受注サーバ。
【請求項３】
さらに、
前記内容検索送信手段により前記端末へ送信する前記見出し語に対応した複数の辞書の検索結果に応じて、選択を推奨する辞書を決定する推奨辞書決定手段と、
この推奨辞書決定手段により決定された辞書の推奨情報を前記端末へ送信する推奨情報送信手段と、
を備えたことを特徴とする請求項１または請求項２に記載の電子辞書受注サーバ。
【請求項４】
前記見出し語受信手段により受信された見出し語に対応した複数の辞書それぞれの内容の検索結果は、各辞書それぞれについての見出し語の有無を示す情報であり、
前記推奨辞書決定手段は、前記各辞書それぞれについての見出し語有無の情報に応じて、見出し語有りの数が多い辞書を推奨する辞書として決定する手段である、
ことを特徴とする請求項３に記載の電子辞書受注サーバ。
【請求項５】
前記見出し語受信手段により受信された見出し語に対応した複数の辞書それぞれの内容の検索結果は、各辞書それぞれについての見出し語に対応する説明内容であり、
前記推奨辞書決定手段は、前記各辞書それぞれについての見出し語に対応する説明内容に応じて、当該説明内容が多い辞書を推奨する辞書として決定する手段である、
ことを特徴とする請求項３に記載の電子辞書受注サーバ。
【請求項６】
さらに、
前記外部の端末から受注製品の送付先を受信する送付先受信手段と、
前記購入辞書情報受信手段により受信された購入辞書情報と共に前記送付先受信手段により受信された受注製品の送付先を製品製造工場の端末へ送信する製造情報送信手段と、
を備えたことを特徴とする請求項１乃至請求項５の何れか１項に記載の電子辞書受注サーバ。
【請求項７】
複数種類の各辞書毎に複数の見出し語のそれぞれに対応付けて内容を記憶する辞書内容記憶手段と、
外部の端末から検索対象の見出し語を受信する見出し語受信手段と、
この見出し語受信手段により受信された見出し語に対応して前記辞書内容記憶手段により記憶された複数の辞書それぞれの内容の検索結果とその検索結果に応じた辞書の推奨情報を前記端末へ送信する辞書関連情報送信手段と、
この辞書関連情報送信手段により検索対象の見出し語に対応する複数の辞書それぞれの内容の検索結果とその検索結果に応じた辞書の推奨情報を前記端末へ送信した後に、当該複数の辞書のうちから購入対象に選択された辞書を含む購入辞書情報を前記端末から受信する購入辞書情報受信手段と、
を備えたことを特徴とする電子辞書受注サーバ。
【請求項８】
電子辞書受注サーバのコンピュータを制御するための電子辞書受注処理プログラムであって、
前記コンピュータを、
複数種類の各辞書毎に複数の見出し語のそれぞれに対応付けて内容を記憶する辞書内容記憶手段、
外部の端末から検索対象の見出し語を受信する見出し語受信手段、
この見出し語受信手段により受信された見出し語に対応して前記辞書内容記憶手段により記憶された複数の辞書それぞれの内容の検索結果を前記端末へ送信する内容検索送信手段、
この内容検索送信手段により検索対象の見出し語に対応する複数の辞書それぞれの内容の検索結果を前記端末へ送信した後に、当該複数の辞書のうちから購入対象に選択された辞書を含む購入辞書情報を前記端末から受信する購入辞書情報受信手段、
として機能させるようにしたコンピュータ読み込み可能な電子辞書受注処理プログラム。
【請求項９】
電子辞書受注サーバのコンピュータを制御するための電子辞書受注処理プログラムであって、
前記コンピュータを、
複数種類の各辞書毎に複数の見出し語のそれぞれに対応付けて内容を記憶する辞書内容記憶手段、
外部の端末から検索対象の見出し語を受信する見出し語受信手段、
この見出し語受信手段により受信された見出し語に対応して前記辞書内容記憶手段により記憶された複数の辞書それぞれの内容の検索結果とその検索結果に応じた辞書の推奨情報を前記端末へ送信する辞書関連情報送信手段、
この辞書関連情報送信手段により検索対象の見出し語に対応する複数の辞書それぞれの内容の検索結果とその検索結果に応じた辞書の推奨情報を前記端末へ送信した後に、当該複数の辞書のうちから購入対象に選択された辞書を含む購入辞書情報を前記端末から受信する購入辞書情報受信手段、
として機能させるようにしたコンピュータ読み込み可能な電子辞書受注処理プログラム。
【手続補正３】
【補正対象書類名】明細書
【補正対象項目名】０００１
【補正方法】変更
【補正の内容】
【０００１】
【発明の属する技術分野】
本発明は、ユーザからの注文に合わせて辞書データを組み込んだ電子辞書を受注生産するための電子辞書受注サーバおよび電子辞書受注処理プログラムに関する。
【手続補正４】
【補正対象書類名】明細書
【補正対象項目名】０００９
【補正方法】変更
【補正の内容】
【０００９】
本発明は、前記のような問題に鑑みてなされたもので、インターネット上でユーザが自分にあった辞書コンテンツを試し引きして容易に選択することが可能になる電子辞書受注サーバおよび電子辞書受注処理プログラムを提供することを目的とする。
【手続補正５】
【補正対象書類名】明細書
【補正対象項目名】００１０
【補正方法】変更
【補正の内容】
【００１０】
【課題を解決するための手段】
すなわち、本発明の請求項１に係る電子辞書受注サーバは、複数種類の各辞書毎に複数の見出し語のそれぞれに対応付けて内容を記憶する辞書内容記憶手段（図３：１２ｄ）と、外部の端末から検索対象の見出し語を受信する見出し語受信手段（図３：１５、図８：ＥＢ２）と、この見出し語受信手段により受信された見出し語に対応して前記辞書内容記憶手段により記憶された複数の辞書それぞれの内容の検索結果を前記端末へ送信する内容検索送信手段（図３：１５、図８：ＥＢ８）と、この内容検索送信手段により検索対象の見出し語に対応する複数の辞書それぞれの内容の検索結果を前記端末へ送信した後に、当該複数の辞書のうちから購入対象に選択された辞書を含む購入辞書情報を前記端末から受信する購入辞書情報受信手段（図３：１５、図８：ＥＢ１０）と、を備えたことを特徴とする。
【手続補正６】
【補正対象書類名】明細書
【補正対象項目名】００１１
【補正方法】変更
【補正の内容】
【００１１】
このような、本発明の請求項１に係る電子辞書受注サーバでは、複数種類の各辞書毎に複数の見出し語のそれぞれに対応付けて内容を記憶する辞書内容記憶手段を有し、見出し語受信手段により外部の端末から検索対象の見出し語が受信されると、内容検索送信手段によりこの受信された見出し語に対応して前記辞書内容記憶手段により記憶された複数の辞書それぞれの内容の検索結果が端末へ送信される。するとこの複数の辞書それぞれの内容の検索結果を端末へ送信した後に、当該複数の辞書のうちから購入対象に選択された辞書を含む購入辞書情報が前記端末から受信される。
【手続補正７】
【補正対象書類名】明細書
【補正対象項目名】００１３
【補正方法】変更
【補正の内容】
【００１３】
また、本発明の請求項２に係る電子辞書受注サーバは、前記請求項１に係る電子辞書関受注サーバにあって、さらに、前記辞書内容記憶手段により記憶された複数種類の辞書のうちの複数の辞書に対する指定情報を外部の端末から受信する指定辞書受信手段（図３：１５、図７：ＤＢ２）を備え、前記内容検索送信手段は、前記見出し語受信手段により受信された見出し語に対応して前記指定辞書受信手段により受信された指定情報の複数の辞書それぞれの内容の検索結果を前記端末へ送信する指定辞書内容検索送信手段（図３：１５、図８：ＥＢ８）を有する、ことを特徴とする。
【手続補正８】
【補正対象書類名】明細書
【補正対象項目名】００１４
【補正方法】変更
【補正の内容】
【００１４】
このような、本発明の請求項２に係る電子辞書受注サーバでは、さらに、指定辞書受信手段により、辞書内容記憶手段により記憶された複数種類の辞書のうちの複数の辞書に対する指定情報が外部の端末から受信されると、この指定情報の複数の辞書それぞれについて、見出し語受信手段により受信された見出し語に対応した内容の検索結果が指定辞書内容検索送信手段により前記端末へ送信される。
【手続補正９】
【補正対象書類名】明細書
【補正対象項目名】００１６
【補正方法】変更
【補正の内容】
【００１６】
また、本発明の請求項３に係る電子辞書受注サーバは、前記請求項１または請求項２に係る電子辞書受注サーバにあって、さらに、前記内容検索送信手段により前記端末へ送信する前記見出し語に対応した複数の辞書の検索結果に応じて、選択を推奨する辞書を決定する推奨辞書決定手段（図３：１１、図８：ＥＢ４〜７）と、この推奨辞書決定手段により決定された辞書の推奨情報を前記端末へ送信する推奨情報送信手段（図３：１５、図８：ＥＢ８）と、を備えたことを特徴とする。
【手続補正１０】
【補正対象書類名】明細書
【補正対象項目名】００１７
【補正方法】変更
【補正の内容】
【００１７】
このような、本発明の請求項３に係る電子辞書受注サーバでは、さらに、推奨辞書決定手段により、前記見出し語に対応した複数の辞書の検索結果に応じて選択を推奨する辞書が決定され、推奨情報送信手段により、この決定された辞書の推奨情報が前記端末へ送信される。
【手続補正１１】
【補正対象書類名】明細書
【補正対象項目名】０１１４
【補正方法】変更
【補正の内容】
【０１１４】
【発明の効果】
以上のように、本発明の請求項１に係る電子辞書受注サーバによれば、複数種類の各辞書毎に複数の見出し語のそれぞれに対応付けて内容を記憶する辞書内容記憶手段を有し、見出し語受信手段により外部の端末から検索対象の見出し語が受信されると、内容検索送信手段によりこの受信された見出し語に対応して前記辞書内容記憶手段により記憶された複数の辞書それぞれの内容の検索結果が端末へ送信される。するとこの複数の辞書それぞれの内容の検索結果を端末へ送信した後に、当該複数の辞書のうちから購入対象に選択された辞書を含む購入辞書情報が前記端末から受信されるので、端末ユーザからの検索見出し語に対応する複数の辞書の内容の検索結果を端末ユーザに提供することができ、端末ユーザに、任意の見出し語に対する複数の辞書それぞれの内容の検索結果を参考にして、自分に合ったコンテンツを容易に選択できるサービスを提供できるようになる。
【手続補正１２】
【補正対象書類名】明細書
【補正対象項目名】０１１５
【補正方法】変更
【補正の内容】
【０１１５】
また、本発明の請求項２に係る電子辞書受注サーバによれば、さらに、指定辞書受信手段により、辞書内容記憶手段により記憶された複数種類の辞書のうちの複数の辞書に対する指定情報が外部の端末から受信されると、この指定情報の複数の辞書それぞれについて、見出し語受信手段により受信された見出し語に対応した内容の検索結果が指定辞書内容検索送信手段により前記端末へ送信されるので、端末ユーザに、任意に指定した複数の辞書について、任意の見出し語に対する複数の辞書それぞれの内容の検索結果を参考にして、自分に合ったコンテンツをより簡単に選択できるサービスを提供できるようになる。
【手続補正１３】
【補正対象書類名】明細書
【補正対象項目名】０１１６
【補正方法】変更
【補正の内容】
【０１１６】
また、本発明の請求項３に係る電子辞書受注サーバによれば、さらに、推奨辞書決定手段により、前記見出し語に対応した複数の辞書の検索結果に応じて選択を推奨する辞書が決定され、推奨情報送信手段により、この決定された辞書の推奨情報が前記端末へ送信されるので、端末ユーザに対し、任意入力した見出し語に対する複数の辞書それぞれの内容の検索結果に応じた辞書の推奨情報を参考にして、自分に合った辞書を非常に簡単に選択できるサービスを提供できるようになる。